(57)【要約】【課題】本発明は点灯装置および照明器具に係り、ＬＥＤ点灯装置としての使用に好適な点灯装置およびそれを利用した照明器具に関し、フェード期間全体で明るさが変化しているように見える点灯装置を得ることを目的とする。【解決手段】光源を点灯させる電源回路と、前記電源回路と接続され、前記光源を流れる電流値を制御し、前記光源の照度を変化させるフェード制御を実行する制御装置と、を備え、前記フェード制御は、前記電流値が大きいほど単位時間当たりに前記電流値を大きく変化させる電流変化制御を含む。【選択図】図３
2017117654.tif 000002
【特許請求の範囲】
【請求項１】
光源を点灯させる電源回路と、
前記電源回路と接続され、前記光源を流れる電流値を制御し、前記光源の照度を変化させるフェード制御を実行する制御装置と、
を備え、
前記フェード制御は、前記電流値が大きいほど単位時間当たりに前記電流値を大きく変化させる電流変化制御を含むことを特徴とする点灯装置。
【請求項２】
前記制御装置は、サンプリングタイム毎に前記電流値が大きいほど、隣り合う前記サンプリングタイムにおける前記電流値の差分が大きくなるように前記電流値を制御することを特徴とする請求項１に記載の点灯装置。
【請求項３】
前記制御装置は、前記サンプリングタイム毎に前記電流値を一定の変化率で変化させることを特徴とする請求項２に記載の点灯装置。
【請求項４】
前記光源は色の異なる複数のＬＥＤを備え、
前記制御装置は、色の異なる複数のＬＥＤの各々を流れる電流を同じ前記変化率で変化させることを特徴とする請求項３に記載の点灯装置。
【請求項５】
前記フェード制御は、前記電流値を増加させるフェードイン制御であることを特徴とする請求項１〜４の何れか１項に記載の点灯装置。
【請求項６】
前記フェード制御は、前記電流値を減少させるフェードアウト制御であることを特徴とする請求項１〜５の何れか１項に記載の点灯装置。
【請求項７】
前記電源回路は、交流電源を整流した直流電源を備え、
前記制御装置は、前記直流電源の立ち上げ後の規定の期間中、前記電流値を、過電流を生じさせることの無い規定値に制限した後に前記フェードイン制御を開始することを特徴とする請求項５に記載の点灯装置。
【請求項８】
請求項１〜７の何れか１項に記載の点灯装置を備えることを特徴とする照明器具。
【請求項９】
前記電流変化制御の実行範囲が設定可能であることを特徴とする請求項８に記載の照明器具。
【発明の詳細な説明】
【技術分野】
【０００１】
本発明は点灯装置および照明器具に係り、ＬＥＤ点灯装置としての使用に好適な点灯装置およびそれを利用した照明器具に関する。
【背景技術】
【０００２】
特許文献１には、フェード期間においてＬＥＤを流れる電流値が単位時間当たりに一定量変化する点灯装置が開示されている。
【先行技術文献】
【特許文献】
【０００３】
【特許文献１】特開２０１４−１９７１７６号公報
【発明の概要】
【発明が解決しようとする課題】
【０００４】
フェード期間において単位時間当たりの電流変化量が一定の場合、電流値が大きい領域ほど明るさの変化を感じ難くなる。このため、フェード期間のうちＬＥＤが明るい領域では、明るさが変化していない様に見える場合がある。
【０００５】
本発明は、上述の問題点を解決するためになされたもので、第１の目的はフェード期間全体で明るさが変化しているように見える点灯装置を得ることである。
第２の目的は、本発明に係る点灯装置を用いた照明器具を得ることである。
【課題を解決するための手段】
【０００６】
光源を点灯させる電源回路と、前記電源回路と接続され、前記光源を流れる電流値を制御し、前記光源の照度を変化させるフェード制御を実行する制御装置と、を備え、前記フェード制御は、前記電流値が大きいほど単位時間当たりに前記電流値を大きく変化させる電流変化制御を含む。
【発明の効果】
【０００７】
本発明における点灯装置は、フェード制御の実行期間において、光源を流れる電流値が大きいほど単位時間当たりに電流値を大きく変化させる。従って、明るさの変化を感じ難くなる領域で、電流値が大きく変化する。このため、フェード期間全体で明るさが変化しているように見せることが可能になる。
【図面の簡単な説明】
【０００８】
【図１】本発明の実施の形態１に係る照明器具の回路ブロック図である。
【図２】比較例に係る照明器具のフェードアウト制御における電流値の時間変化を説明する図である。
【図３】本発明の実施の形態１に係る照明器具のフェードアウト制御における電流値の時間変化を説明する図である。
【図４】比較例に係る照明器具のフェードイン制御における電流値の時間変化を説明する図である。
【図５】本発明の実施の形態１に係る照明器具のフェードイン制御における電流値の時間変化を説明する図である。
【図６】比較例に係る照明器具について各色のＬＥＤ電流値の時間変化を説明する図である。
【図７】本発明の実施の形態２に係る照明器具のフェードアウト制御における電流値の時間変化を説明する図である。
【図８】本発明の実施の形態３に係る照明器具のフェードアウト制御における電流値の時間変化を説明する図である。
【図９】本発明の実施の形態３に係る照明器具のフェードイン制御における電流値の時間変化を説明する図である。
【図１０】本発明の実施の形態４に係る照明器具の回路ブロック図である。
【図１１】本発明の実施の形態４に係る照明器具の電源立ち上げ時における電流値の時間変化を説明する図である。
【発明を実施するための形態】
【０００９】
本発明の実施の形態に係る点灯装置および照明器具について図面を参照して説明する。同じ又は対応する構成要素には同じ符号を付し、説明の繰り返しを省略する場合がある。
【００１０】
実施の形態１．
図１は、実施の形態１に係る照明器具１２０の回路ブロック図である。照明器具１２０は、ＬＥＤモジュール１１０、点灯装置１００、調光器３０および調光信号インターフェイス（Ｉ／Ｆ）回路３２を備える。点灯装置１００は、電源回路５０および制御装置４０を備える。電源回路５０は直流電源６０およびバックコンバータ回路８０を備える。電源回路５０はＬＥＤモジュール１１０を点灯させる。また、制御装置４０は、直流電源６０の出力電圧を定電圧制御したり、ＬＥＤ１０を流れる電流値を制御したりする。また、制御装置４０はフェード制御を実行する。以下に回路構成を説明する。
【００１１】
外部電源である交流電源３４は、壁スイッチ１８を介して電源回路５０が備える整流回路６１と接続される。整流回路６１の出力端子には、平滑コンデンサであるコンデンサ６２が並列に接続される。従って、交流電源３４は整流回路６１で整流された後にコンデンサ６２で平滑される。コンデンサ６２には、分圧回路６３０が並列に接続される。分圧回路６３０は直列に接続された抵抗６３および６４から構成される。コンデンサ６２の両端電圧は抵抗６３、６４によって分圧され制御装置４０に入力される。
【００１２】
整流回路６１の高電位側には、インダクタ６５の一端が接続される。インダクタ６５の他端は、スイッチング素子７０のドレイン側およびダイオード６６のアノード側に接続される。スイッチング素子７０は、ＭＯＳＦＥＴである。スイッチング素子７０のソース側は、整流回路６１の低電位側に接続される。また、スイッチング素子７０のゲートは制御装置４０と接続される。ダイオード６６のカソード側にはコンデンサ６７の正極が接続される。コンデンサ６７は電解コンデンサである。コンデンサ６７の負極は、整流回路６１の低電位側に接続される。
【００１３】
インダクタ６５、スイッチング素子７０、ダイオード６６およびコンデンサ６７は昇圧チョッパ回路を構成する。従って、整流回路６１の出力電圧は、昇圧チョッパ回路によって昇圧される。具体的には、スイッチング素子７０がＯＮのときに、整流回路６１で整流された電流がインダクタ６５に蓄積され、スイッチング素子７０がＯＦＦされると、整流回路６１で整流された電流に、インダクタ６５で蓄積された電流が重畳されてコンデンサ６７が充電される。コンデンサ６７には分圧回路６８０が並列に接続される。分圧回路６８０は直列に接続された抵抗６８および６９から構成される。コンデンサ６７の両端電圧は抵抗６８、６９を用いて分圧され制御装置４０に入力される。制御装置４０は、例えば分圧回路６３０からの入力電圧をもとに直流電源６０の出力電圧が定電圧になるようにスイッチング素子７０をオンオフする。以上から、直流電源６０が構成される。
【００１４】
バックコンバータ回路８０のスイッチング素子８１およびダイオード８２からなる直列回路は、直流電源６０のコンデンサ６７と並列に接続される。直流電源６０の出力端子のうち、コンデンサ６７の正極側はスイッチング素子８１のドレイン側と接続される。スイッチング素子８１は、ＭＯＳＦＥＴである。スイッチング素子８１のソース側にはダイオード８２のカソード側が接続される。ダイオード８２のアノード側は、コンデンサ６７の負極側に接続される。スイッチング素子８１のゲートは制御装置４０と接続される。インダクタ８３、コンデンサ８４および検出抵抗８５がこの順に接続して直列回路を構成する。この直列回路はダイオード８２に並列に接続される。インダクタ８３はチョークコイルとして用いられる。コンデンサ８４には分圧回路８６０が並列に接続される。分圧回路８６０は直列に接続された抵抗８６および８７によって構成される。コンデンサ８４の両端電圧は抵抗８６、８７を用いて分圧され制御装置４０に入力される。以上から降圧回路であるバックコンバータ回路８０が構成される。
【００１５】
直流電源６０およびバックコンバータ回路８０は、電源回路５０を構成する。電源回路５０の出力端にはＬＥＤモジュール１１０が並列に接続される。ＬＥＤモジュール１１０は光源である複数のＬＥＤ１０を備える。電源回路５０は、交流電源３４を直流電源６０で整流および昇圧する。その後、バックコンバータ回路８０で降圧することで、ＬＥＤモジュール１１０に直流の電力を供給している。
【００１６】
分圧回路６３０は、直流電源６０の入力側に設けられている。このため、直流電源６０の入力電圧検出に用いられる。また、分圧回路６８０は、直流電源６０の出力端に設けられている。このため、直流電源６０の出力電圧検出に用いられる。検出抵抗８５は、ＬＥＤモジュール１１０に流れるＬＥＤ電流の検出に用いられる。検出抵抗８５の両端に印加される電圧値はＬＥＤ電流値に対応する。この電圧値が制御装置４０に入力される。また、分圧回路８６０は、ＬＥＤモジュール１１０の電圧検出に用いられる。制御装置４０は分圧回路８６０の検出電圧に基づいて、ＬＥＤモジュール１１０の接続有無および電圧異常を検出する。
【００１７】
分圧回路６３０、６８０および８６０並びに検出抵抗８５からの検出電圧は制御装置４０に入力される。制御装置４０が備えるＡ／Ｄ変換回路４４は、これらの検出電圧をデジタル値に変換する。処理装置４５は、このデジタル値を用いて演算処理を実行する。演算処理には、記憶部４３に記憶された演算プログラムが用いられる。この演算処理では、スイッチング素子７０および８１のオン時間などが算出される。
【００１８】
演算結果は制御回路４１および４２に通知される。制御回路４１はスイッチング素子７０のゲートに接続される。他方の制御回路４２はスイッチング素子８１のゲートに接続される。演算結果に基づいて、制御回路４１および４２はＰＷＭ（Ｐｕｌｓｅ  Ｗｉｄｔｈ  Ｍｏｄｕｌａｔｉｏｎ）信号を出力する。ＰＷＭ信号によって、スイッチング素子７０および８１のオンオフが制御される。制御回路４１、制御回路４２、記憶部４３、Ａ／Ｄ変換回路４４、処理装置４５および受信部２０は内部バスを介して互いに接続されている。
【００１９】
記憶部４３は、処理装置４５で実行する演算プログラムおよび演算に用いられる各種データを記憶している。記憶部４３は不揮発性メモリを備える。記憶部４３は外部からのデータの書き込みおよび読み出しが実施可能に設けられている。制御装置４０は、分圧回路６８０の検出電圧が、目標電圧として分圧回路６３０の入力電圧と一致するように、または、予め記憶部４３に書き込まれた目標電圧と一致するように、スイッチング素子７０のオン時間を調整する。この結果、直流電源６０は定電圧制御される。
【００２０】
また、照明器具１２０は調光器３０を備える。調光器３０にはＬＥＤモジュール１１０の目標の照度を決める調光指令値が入力される。制御装置４０には、調光信号Ｉ／Ｆ回路３２を介して調光器３０からの調光指令値が入力される。調光信号Ｉ／Ｆ回路３２は、調光器３０のインターフェイス回路である。制御装置４０では、調光指令値に基づいて目標電流が決定される。
【００２１】
ＬＥＤモジュール１１０が全光点灯状態の時、制御装置４０は目標電流と検出抵抗８５で検出された電圧に応じたＬＥＤ電流値が一致するように、スイッチング素子８１のオン時間を調整する。記憶部４３には予めバックコンバータ回路８０の回路効率、インダクタ８３のインダクタンス値、ダイオード８２の順方向電圧値が書き込まれている。制御装置４０は、これらの値と分圧回路８６０および検出抵抗８５から得られるバックコンバータ回路８０の出力電流値、出力電圧値および入力電圧値を用いてスイッチング素子８１の周波数を変調する。制御装置４０は、臨界モードでの定電流制御を行っている。
【００２２】
制御装置４０には、デジタル電源用制御装置として提供されているマイコンを使用する。また、ＤＳＰ（Ｄｉｇｉｔａｌ  Ｓｉｇｎａｌ  Ｐｒｏｃｅｓｓｏｒ）等の演算装置を使用しても良い。
【００２３】
次に、ＬＥＤ１０の照度を変化させるフェード制御について説明する。先ず、フェードアウト制御について説明する。フェードアウト制御では、記憶部４３に記憶されたフェードアウト制御プログラムに従って電源回路５０が制御される。
【００２４】
図２は、比較例に係る照明器具のフェードアウト制御における電流値の時間変化を説明する図である。実線２０２はＬＥＤ１０を流れる電流値の時間変化を示す。比較例では、単位時間当たりに一定量の電流値が変化しながら減少する。比較例において、０．１秒毎にサンプリングタイムが設定されている。また、電流値は０．１秒毎に１０ｍＡ減少するようにスイッチング素子８１のオンオフが制御される。このとき、電流値が大きい領域ほど明るさの変化を感じ難くなる。なおサンプリングタイム１．０秒においては、便宜上電流値を１ｍＡと設定している。
【００２５】
破線２０４は、電流値の変化率Ａを示す。変化率Ａは、以下の式から求められる。
【００２６】
【数１】
2017117654.tif 000003
【００２７】
ここで、Ｉｎ−１は、ｎ−１番目のサンプリングタイムにおける電流値である。また、Ｉｎは、ｎ番目のサンプリングタイムにおける電流値である。０．１秒の時点では変化率Ａは１０％である。フェードアウト制御においては、時間の経過と共に電流値が減少する。比較例において、変化率Ａを求める式の右辺の分子は１０ｍＡに固定されている。このため、時間の経過と共に変化率Ａが増大する。１．０秒の時点では変化率Ａは９０％である。
【００２８】
本発明者は、変化率Ａと人間から見た明るさの見え方の間に相関があることを見出した。変化率Ａの増大に伴ってフェードアウト制御の後半ほど明るさが大きく変化するように見える。これに対し、フェードアウト制御の前半では、変化率Ａが小さい。このため、あまり明るさが変化していないように見える。従って、比較例の様に単位時間当たりに一定量の電流値を変化させて減少する場合、フェードアウト制御の前半で明るさが変化していない様に見え、フェードアウト制御の後半で明るさが大きく変化して見える場合がある。
【００２９】
図３は、本実施の形態に係る照明器具１２０のフェードアウト制御における電流値の時間変化を説明する図である。実線３０２はＬＥＤ１０を流れる電流値の時間変化を示す。また、破線３０４は、電流値の変化率Ａを示す。本実施の形態では、破線３０４に示すように、変化率Ａが３３％の一定値を取るように電流値が制御される。ｎ番目のサンプリングタイムにおける電流値Ｉｎは、次の式から求められる。
【００３０】
【数２】
2017117654.tif 000004
【００３１】
この電流値Ｉｎを求める式は、上述した変化率Ａを求める式をＩｎについて展開することで得られる。電流値Ｉｎを求める式が示すように、ｎ番目のサンプリングタイムにおける電流値Ｉｎは、ｎ−１番目のサンプリングタイムにおける電流値Ｉｎ−１に固定値（１００−Ａ）／１００を乗じた値に設定される。このとき、サンプリングタイム毎の電流値は、一定の変化率Ａで変化する。隣り合うサンプリングタイムにおける電流値の差分Ｉｎ−１−Ｉｎは、電流値が大きいほど大きくなる。ここで、０．１秒毎にサンプリングタイムを設定し、初期の電流値を１００ｍＡとする。この時、０．０〜０．１秒の間に電流値は３３ｍＡも変化するのに対し、０．９〜１．０秒の間には１ｍＡしか変化しない。
【００３２】
図２の比較例で説明したように、電流値が大きい領域では、明るさの変化を感じ難い。これに対し、本実施の形態では、サンプリングタイム毎に電流値を３３％の一定の変化率で変化させる。この結果、電流値が大きい領域ほど、単位時間当たりに電流値が大きく変化する。従って、明るさの変化を感じ難い領域ほど電流値が大きく変化する。このため、フェードアウト期間全体で明るさが一定に変化しているように見せることが可能になる。
【００３３】
次に、使用者が変化率Ａを設定する方法を説明する。電流値Ｉｎを求める式は予めフェードアウト制御プログラムに書き込まれている。照明器具１２０はリモコン１６を備える。使用者はリモコン１６の設定画面上で、変化率Ａを例えば５０％と設定する。リモコン１６は、変化率Ａ等の情報を含むフェードアウト指示信号として発信する。受信部２０はフェードアウト指示信号を受信する。この結果、記憶部４３に記憶されたフェードアウト制御プログラムの変化率Ａが５０％に書き換えられる。従って、次回フェードアウト時からは変化率Ａが５０％となるようにフェードアウト制御が実施される。
【００３４】
フェードアウト時には、処理装置４５によってサンプリングタイム毎に電流値Ｉｎを求める式から電流値が算出される。電流値の算出には、使用者によって設定された変化率Ａが用いられる。また、算出された電流値が実現されるように、スイッチング素子８１のオン時間が算出される。算出されたオン時間は制御回路４２に通知される。制御回路４２は、通知されたオン時間に従って、スイッチング素子８１をオンオフする。この結果、フェードアウト期間中、変化率Ａが５０％の一定値を取るように、ＬＥＤ１０を流れる電流値が制御されるフェードアウト制御が実現される。
【００３５】
次に、フェードイン制御について説明する。図４は、比較例に係る照明器具のフェードイン制御における電流値の時間変化を説明する図である。実線２１２はＬＥＤ１０を流れる電流値の時間変化を示す。比較例において、電流値が０．１秒毎に１０ｍＡ増加するようにスイッチング素子８１のオンオフが制御される。従って、単位時間当たりに一定量の電流値が変化しながら増加する。このとき、フェードアウト制御の場合と同様に、電流値が大きい領域ほど明るさの変化を感じ難くなる。なおサンプリングタイム０．０秒においては、便宜上電流値を１ｍＡと設定している。
【００３６】
破線２１４は、電流値の変化率Ａを示す。変化率Ａは、フェードアウト制御の場合と同様に上述した変化率Ａを求める式から求められる。ただし、フェードイン制御の場合、変化率Ａの符号はマイナスになる。０．１秒の時点では変化率Ａは−９００％である。時間の経過と共に電流値が増加すると、電流値に対する電流の変化量の割合が減少する。このため、変化率Ａの絶対値が減少する。１．０秒の時点では変化率Ａは−１１％である。
【００３７】
この時、変化率Ａの絶対値の減少に伴ってフェードイン制御の後半ほど明るさがあまり変化しない様に見える。これに対し、フェードイン制御の前半では、変化率Ａの絶対値が大きい。このため、明るさが大きく変化する様に見える。従って、単位時間当たりに一定量の電流値を変化させて増加する場合、フェードイン制御の前半で明るさが大きく変化している様に見え、フェードイン制御の後半で明るさが変化していない様に見える場合がある。
【００３８】
図５は、本実施の形態に係る照明器具１２０のフェードイン制御における電流値の時間変化を説明する図である。実線３１２はＬＥＤ１０を流れる電流値の時間変化を示す。また、破線３１４は、電流値の変化率Ａを示す。本実施の形態では、破線３１４に示すように、変化率Ａが−５９％の一定値を取るように電流値が制御される。ｎ番目のサンプリングタイムにおける電流値Ｉｎは、フェードアウト制御の場合と同様に、上述した電流値Ｉｎを求める式から求められる。
【００３９】
フェードアウト制御の場合と同様に、サンプリングタイム毎の電流値は、−５９％の一定の変化率Ａで変化する。隣り合うサンプリングタイムにおける電流値の差分Ｉｎ−Ｉｎ−１は、電流値が大きいほど大きくなる。０．１秒毎にサンプリングタイムを設定し、初期の電流値を１ｍＡと設定した場合、０．０〜０．１秒の間に電流値は１ｍＡ変化するのに対し、０．９〜１．０秒の間には３８ｍＡも変化する。フェードアウト制御の場合と同様に、電流値が大きい領域ほど単位時間当たりに電流値が大きく変化する。従って、明るさの変化を感じ難い領域ほど電流値が大きく変化する。このため、フェードイン期間全体で明るさが一定に変化しているように見せることが可能になる。使用者が変化率Ａを設定する方法については、フェードアウト制御と同様である。
【００４０】
本実施の形態では、フェードアウト制御およびフェードイン制御の変化率Ａをそれぞれ３３％および−５９％とした。変化率Ａの値は、これ以外でも良く、使用環境に応じて決定する。また、本実施の形態ではサンプリングタイム毎の電流値が、一定の変化率Ａで変化するようにフェード制御を行なうものとした。これに対し、電流値が大きいほど単位時間当たりに電流値を大きく変化させる事が可能であれば、他のフェード制御方法を用いても良い。例えば、サンプリングタイム毎の電流値が、指数関数、累乗関数またはそれらの和から求められる値になるように制御されても良い。
【００４１】
実施の形態２．
実施の形態２に係る点灯装置の回路構成は、実施の形態１と同様である。また、本実施の形態に係る照明器具は、光源として複数の色のＬＥＤを備える。図６は、比較例に係る照明器具について各色のＬＥＤ電流値の時間変化を説明する図である。比較例に係る照明器具は色可変器具であり、複数の色のＬＥＤを備える。破線２４４は白色のＬＥＤの電流Ｘを示す。破線２４６は、橙色のＬＥＤの電流Ｙを示す。実線２４２は電流Ｘと電流Ｙの和である電流Ｘ＋Ｙを示す。図６は、電流Ｘ、電流Ｙおよび電流Ｘ＋Ｙのフェードアウト期間における時間変化を示す。
【００４２】
比較例では、単位時間当たりに一定量の電流値が変化する。電流値は０．１秒毎に１０ｍＡ減少するように制御される。電流の初期値は電流Ｘが１００ｍＡ、電流Ｙが５０ｍＡである。単位時間当たりに電流Ｘおよび電流Ｙは一定量の電流値が減少する。このため、電流Ｙが先に０ｍＡに到達する。この結果、実線２４２に示すように、電流Ｘ＋Ｙにはフェードアウト制御の途中で、電流の変化速度に不連続な箇所が発生する。また、橙色のＬＥＤである電流Ｙが先に０ｍＡに到達するため、フェードアウト制御の途中（０．５秒後）からは白色が強く現れる。従って、色の変化が不自然になる可能性がある。
【００４３】
図７は、本実施の形態２に係る照明器具のフェードアウト制御における電流値の時間変化を説明する図である。破線３４４は白色のＬＥＤの電流Ｘを示す。破線３４６は、橙色のＬＥＤの電流Ｙを示す。実線３４２は電流Ｘと電流Ｙの和である電流Ｘ＋Ｙを示す。
【００４４】
本実施の形態では、サンプリングタイム毎の電流値は、一定の変化率Ａで変化する。サンプリングタイム毎の電流値は、上述した電流値Ｉｎを求める式から算出される。図７において電流値Ｉｎは、変化率Ａを５０％として算出されている。上述したように、ｎ番目のサンプリングタイムにおける電流値Ｉｎは、ｎ−１番目のサンプリングタイムにおける電流値Ｉｎ−１に固定値（１００−Ａ）／１００を乗じた値となる。このため、サンプリングタイム毎の電流Ｘおよび電流Ｙは、０．０秒時点の電流比２対１を保ったまま変化する。従って電流Ｘ＋Ｙの変化速度に不連続な箇所が発生しない。また、フェードアウト制御の過程で一方の色が強く出ることが抑制される。従って、色の変化が不自然になるのを防ぐ事が可能になる。
【００４５】
本実施の形態では、フェードアウト制御における各色の電流値の変化について説明した。フェードイン制御についても同様に、本実施の形態が適用できる。また、ＬＥＤの色が白色と橙色の２色の場合を説明したが、３色以上の場合にも適用が可能である。
【００４６】
実施の形態３．
実施の形態３に係る照明器具の回路構成は、実施の形態１と同様である。図８は、本実施の形態３に係る照明器具のフェードアウト制御における電流値の時間変化を説明する図である。本実施の形態では、実施の形態１で示したサンプリングタイム毎の電流値を一定の変化率Ａで変化させる制御を「電流変化制御」と呼ぶ。本実施の形態では、「電流変化制御」と、単位時間当たりに一定量の電流値が変化するフェード制御を組み合わせて実施する。
【００４７】
実線３２２は電流Ｌの時間変化を示す。電流Ｌは、フェード期間の前半で単位時間当たりに一定量が変化するように制御され、後半で「電流変化制御」が実施される。０．１〜０．４秒の期間では、電流Ｌはサンプリングタイム毎に１０ｍＡ減少する。０．５〜１．０秒の期間では、変化率Ａを３３％に設定した「電流変化制御」が実施される。
【００４８】
また、破線３２４は電流Ｆの時間変化を示す。電流Ｆは、フェード期間の前半で「電流変化制御」が実施され、後半で単位時間当たりに一定量が変化するようにフェード制御される。０．１〜０．４秒の期間では、変化率Ａを３３％に設定した「電流変化制御」が実施される。０．５〜１．０秒の期間では、電流Ｆはサンプリングタイム毎に１０ｍＡ減少する。なおサンプリングタイム１．０秒においては、便宜上電流値を１ｍＡと設定している。
【００４９】
本実施の形態では、「電流変化制御」を実施する期間を全フェード期間の前半または後半に設定した。ここで、「電流変化制御」を実施する期間は、全フェード期間内の任意の位置に設定しても良い。また、「電流変化制御」を実施する期間は、使用者がリモコン１６または壁スイッチ１８で設定出来るものとしても良い。
【００５０】
以下にリモコン１６で「電流変化制御」を実施する期間を設定する方法を説明する。使用者は、リモコン１６の設定画面上で、全フェード期間のうち「電流変化制御」を実施する期間を入力する。この結果、リモコン１６は入力情報を含むフェードアウト指示信号を発信する。受信部２０がフェードアウト指示信号を受信すると、記憶部４３に記憶されたフェードアウト制御プログラムが書き換えられる。従って、次回フェードアウト時からは設定した期間に「電流変化制御」が実施される。
【００５１】
図９は、本実施の形態に係る照明器具のフェードイン制御における電流値の時間変化を説明する図である。実線３３２は電流Ｌの時間変化を示す。フェードアウトの場合と同様に、電流Ｌは、フェード期間の前半で単位時間当たりに一定量が変化するように制御され、後半で「電流変化制御」が実施される。「電流変化制御」では、変化率Ａを−５９％に設定している。
【００５２】
また、破線３３４は電流Ｆの時間変化を示す。フェードアウトの場合と同様に、電流Ｆは、フェード期間の前半で「電流変化制御」が実施され、後半で単位時間当たりに一定量が変化するように制御される。「電流変化制御」では、変化率Ａを−５９％に設定している。使用者が「電流変化制御」を実施する期間を設定する方法は、フェードアウトの場合と同様である。
【００５３】
本実施の形態では、全フェード期間のうち「電流変化制御」を実施する期間を使用者が設定できる。このため、実施の形態１と比較して、フェード制御の選択肢が広がる。従って、使用者の好みに応じたフェード制御を実現できる。
【００５４】
実施の形態４．
図１０は、本実施の形態４に係る照明器具４２０の回路ブロック図である。実施の形態１では、制御装置４０は制御回路４１および４２を備えた。制御回路４１および４２はスイッチング素子７０および８１のオンオフを制御する。本実施の形態では、直流電源４６０が制御回路４４１を備える。また、バックコンバータ回路４８０が制御回路４４２を備える。制御回路４４１および４４２はスイッチング素子４７０および４８１のオンオフをそれぞれ制御する。
【００５５】
図１１は、本実施の形態に係る照明器具４２０の電源立ち上げ時における電流値の時間変化を説明する図である。実線５０２は、制御回路４４１の電源Ｖｃｃの時間変化を示す。照明器具４２０の電源立ち上げに伴い、制御装置４４０および制御回路４４１、４４２の電源が立ち上がる。制御回路４４１は、直流電源４６０の出力電圧を制御する。実線５０８は、直流電源４６０の出力電圧を示す。実線５０８に示すように、電源の立ち上がり時に直流電源４６０はオーバーシュートを起こす場合がある。本実施の形態では、制御回路４４１は制御装置４４０から分離されている。このため、直流電源４６０と制御装置４４０は別個に制御される。従って、直流電源４６０がオーバーシュート中にフェードイン制御が開始される可能性がある。
【００５６】
一点鎖線５０６は、直流電源４６０がオーバーシュート中にフェードイン制御が開始された場合のＬＥＤ電流変化の一例を示す。この時、直流電源４６０のオーバーシュートに伴って、電流値が上昇する。この結果、破線５１０に示すＬＥＤ定格電流値を超える可能性がある。
【００５７】
そこで、本実施の形態では、直流電源４６０立ち上げ後のオーバーシュートが安定するまでの期間、電流値が制限される。ここで、直流電源４６０がオーバーシュート中でもＬＥＤ定格電流値を越えない電流値が実験で定められている。この値を超えないように、電流値は制限される。その後、制御装置４４０は変化率が一定値を取るように電流値を制御するフェードイン制御を開始する。この結果、実線５０４に示すように、オーバーシュートに伴う電流値の増加をＬＥＤ定格電流値以下に抑制することが可能になる。
【符号の説明】
【００５８】
１００、４００  点灯装置、１２０、４２０  照明器具、１０  ＬＥＤ、３４  交流電源、４０  制御装置、５０  電源回路、６０  直流電源
【図１】
2017117654.tif 000005
【図２】
2017117654.tif 000006
【図３】
2017117654.tif 000007
【図４】
2017117654.tif 000008
【図５】
2017117654.tif 000009
【図６】
2017117654.tif 000010
【図７】
2017117654.tif 000011
【図８】
2017117654.tif 000012
【図９】
2017117654.tif 000013
【図１０】
2017117654.tif 000014
【図１１】
2017117654.tif 000015